(57)【要約】【課題】分岐コネクタ内に配置する抵抗を回路中に設け、組み付け作業性および生産性の向上を図る。【解決手段】幹線から複数の支線を分岐接続する位置に設ける分岐コネクタ１０において、コネクタハウジング１１内に、幹線接続用の端子部３０ｂが突設されたジョイント部３０ａを備えたバスバー３０と、バスバー３０のジョイント部３０ａと対向して配置される支線接続用の複数の端子材２０と、各支線接続用の端子材２０と前記バスバー３０のジョイント部３０ａとの間に介設させて、支線接続用の端子材２０とジョイント部３０ａとを導通する加圧導電ゴムシート４１または異方性導電シートから形成された抵抗材と、が収容されている。【選択図】図２
2008192463.tif 000002
【特許請求の範囲】
【請求項１】
幹線から複数の支線を分岐接続する位置に設ける分岐コネクタにおいて、
コネクタハウジング内に、
幹線接続用の端子部が突設されたジョイント部を備えたバスバーと、
前記バスバーのジョイント部と対向して配置される支線接続用の複数の端子材と、
前記各支線接続用の端子材と前記バスバーのジョイント部との間に介設させて、前記支線接続用の端子材とジョイント部とを導通する加圧導電ゴムシートまたは異方性導電シートから形成された抵抗材と、
が収容されていることを特徴とする分岐コネクタ。
【請求項２】
前記シートからなる抵抗材は一枚の連続したシートからなり、前記バスバーの帯状に連続させたジョイント部の表面に沿って配置し、該バスバーのジョイント部の先端部に前記幹線接続用の端子部を屈折して突設している請求項１に記載の分岐コネクタ。
【請求項３】
前記各支線接続用の端子材は前記コネクタハウジングに設けられた支持枠部に貫通固定され、一端が前記シート状とした抵抗材に接触すると共に、他端が前記コネクタハウジングの一面側に設けたコネクタ嵌合部に収容される相手方コネクタの端子材と嵌合接続される請求項１または請求項２に記載の分岐コネクタ。
【請求項４】
前記各支線接続用の端子材は、前記バスバーのジョイント部の長さ方向の一側縁に沿って設けられたＵ字形状の屈曲部の先端から長さ方向に間隔をあけて突設された端子材を屈曲部から切断して形成されたものとし、該屈曲部の中空に前記抵抗材が狭持されている請求項３に記載の分岐コネクタ。
【請求項５】
前記各支線接続用の端子材は、前記コネクタハウジングの一面側に形成されたコネクタ収容部に収容されたコネクタから突出した端子材からなり、コネクタ内の電線端末に接続された前記端子材の先端を前記抵抗材に直接接触させている請求項１または請求項２に記載の分岐コネクタ。
【請求項６】
前記抵抗材となる加圧導電ゴムシートは、前記支線接続用の端子材の接触圧を変化させることにより、あるいは／および前記加圧導電ゴムシートの厚みを変化させることにより、該抵抗材の抵抗値が調節されるものである請求項１乃至請求項５のいずれか１項に記載の分岐コネクタ。
【発明の詳細な説明】
【技術分野】
【０００１】
本発明は、分岐コネクタに関し、詳しくは、自動車に搭載され、自動車内に配索されるＬＡＮ内に介設され、通信回路の分岐接続部で発生する信号の反射を減衰する機能をコネクタ内に設けたものである。
【背景技術】
【０００２】
従来、自動車に配索される電線同士の接続にはコネクタが多く用いられており、特開２００３−１２３９１９号公報（特許文献１）では、電子部品を内蔵したコネクタが提供されている。
特許文献１で提供されたコネクタ１は、図１０（Ａ）（Ｂ）に示すように、バスバー３のジョイント部の端部に抵抗やコンデンサ等の電子部品からなる終端抵抗回路２を設けており、該バスバー３をハウジング４とカバー５からなるコネクタハウジング６内に収容している。
前記のように、通信回路の分岐点に終端抵抗回路を設けて波形整形回路を構成しているため、分岐点における信号の反射を減衰することができる。
【０００３】
【特許文献１】特開２００３−１２３９１９号公報
【発明の開示】
【発明が解決しようとする課題】
【０００４】
特許文献１で提供されているコネクタ１においては、バスバーのハウジングへの組み付けは、ハウジング本体の下部の開放部からバスバーを嵌挿することで行うが、抵抗やコンデンサ等の電子部品からなる終端抵抗回路がハウジングと接触し、電子部品が剥がれるおそれがある。このため、作業時にバスバーを丁寧に取り扱わねばならず、コネクタの生産性が低下するという問題がある。
また、絶縁樹脂材料からなるコネクタハウジングの射出成形時に終端抵抗回路およびバスバーをインサート成形する場合もあるが、電子部品が樹脂圧で剥がれることがありコネクタの生産性が低下するという問題もある。
【０００５】
本発明は、前記問題に鑑みてなされたもので、分岐コネクタにおいて、通信回路の分岐点に信号の反射を低減するための抵抗材を、作業性良く組付けられる構成として、生産性の向上を図ることを課題としている。
【課題を解決するための手段】
【０００６】
前記課題を解決するため、本発明は、幹線から複数の支線を分岐接続する位置に設ける分岐コネクタにおいて、
コネクタハウジング内に、
幹線接続用の端子部が突設されたジョイント部を備えたバスバーと、
前記バスバーのジョイント部と対向して配置される支線接続用の複数の端子材と、
前記各支線接続用の端子材と前記バスバーのジョイント部との間に介設させて、前記支線接続用の端子材とジョイント部とを導通する加圧導電ゴムシートまたは異方性導電シートから形成された抵抗材と、
が収容されていることを特徴とする分岐コネクタを提供している。
【０００７】
本発明の分岐コネクタでは、幹線から支線が分岐する分岐点における信号の反射を減衰させるため、加圧導電ゴムシートまたは異方性導電シートから形成された抵抗材を幹線接続回路側のバスバーのジョイント部と支線接続回路側の端子材との間に直接的に介在させている。前記加圧導電ゴムシートまたは異方性導電シートは、銅合金板を打ち抜き成形するバスバーと比較して導電率が低いため、加圧導電ゴムシートまたは異方性導電シートを抵抗材として機能させることができる。
このように、幹線と接続したバスバーのジョイント部に沿って前記シートからなる抵抗材を配置するだけでよく、バスバーのジョイント部と各支線接続用の端子材との間に抵抗やコンデンサ等の電子部品を取り付ける必要がなく、分岐コネクタの組み立て作業性および生産性の向上を図ることができる。また、前記電子部品からなる抵抗材を用いないため、分岐コネクタの高温化による抵抗材への影響も少なくなる。
【０００８】
抵抗材とする加圧導電ゴムシートまたは異方性導電シートの幹線・支線接続用端子間の抵抗値は、使用する通信回路のバスのインピーダンス（Ｚ０）の６％〜５０％、好ましくは１０％〜２２％とすることが好ましい。
前記６％以上であれば、抵抗材をフィルタ回路として機能させて、通信回路の分岐部における信号の反射を減衰させることができる。一方、５０％を越えると受信側の電圧低下を招き通信エラーとなる。
【０００９】
前記シートからなる抵抗材は一枚の連続したシートからなり、前記バスバーの帯状に連続させたジョイント部の表面に沿って配置し、該バスバーのジョイント部の先端部に前記幹線接続用の端子部を屈折して突設していることが好ましい。
前記加圧導電ゴムシートは支線接続用端子が接触してバスバーのジョイント部との間で加圧された部分が導通され、支線接続用端子が接触していない部分は導通されないため、支線接続用端子間は該加圧導電ゴムシートを介して導通されない。また、異方性導電シートは支線接続用端子とバスバーのジョイント部の対向方向のみ導通するため、支線接続用端子間は該異方性導電シートを介して導通されない。
即ち、１枚の連続したシートでありながら、ジョイント部と各支線接続用端子との間に個別に抵抗を介在させた状態と同様に作用させることができる。
このように、１枚の加圧導電ゴムシートまたは異方性導電シートをバスバーのジョイント面に貼り付けるように配置するだけでよいため、従来の支線接続用端子とジョイント部との間に個別に抵抗やコンデンサからなる電子部品と取り付ける場合と比較して部品点数の削減、取付工数の大幅な低減を図って生産性を高めることができる。
【００１０】
前記各支線接続用の端子材は、前記コネクタハウジングに設けられた支持枠部に貫通固定され、一端が前記シートからなる抵抗材と接触すると共に他端が前記コネクタハウジングの一面側に設けたコネクタ嵌合部に収容される相手方コネクタの端子材と嵌合接続されることが好ましい。
【００１１】
また、前記コネクタハウジングの他側にはコネクタカバーを取り付け、該コネクタカバーの内面に前記抵抗材を取り付けたバスバーのジョイント部を取り付けておくことが好ましい。
【００１２】
前記構成のように、各支線接続用の端子材をコネクタハウジングの支持枠部に貫通固定して一体とすると共に、コネクタカバーの内面にバスバーと抵抗材と取り付けておくと、コネクタハウジングにコネクタカバーを取り付けるだけで、端子材の一端が前記抵抗材と接触して支線接続用の端子材とバスバーのジョイント部との間に抵抗材を設けることができ、組み付け作業性および生産性の向上を図ることができる。
【００１３】
前記各支線接続用の端子材は、前記バスバーのジョイント部の長さ方向の一側縁に沿って設けられたＵ字形状の屈曲部の先端から長さ方向に間隔をあけて突設された端子材を屈曲部から切断して形成されたものとし、前記屈曲部の中空に前記抵抗材が狭持されていてもよい。
前記切断は、支線接続用の端子材を支持枠部に貫通固定した後に行うことが好ましい。
【００１４】
このように、支線接続用の端子材をバスバーと一体に形成すると、支持枠部に複数の支線接続用の端子材を一度に組み付けることができ、複数の支線接続用の端子材を個別に支持枠部に組み付ける必要がなくなり、組み付けを簡単に行うことができる。
また、屈曲部の中空に前記抵抗材を狭持することにより、バスバーのジョイント部への抵抗材の固定を簡単且つ安定して行うことができる。
かつ、ジョイント部と連続する屈曲部は切断するため、バスバーのジョイント部を抵抗材を介して支線接続用の端子材と導通させることができ、抵抗材をフィルタ回路として機能させることができる。
【００１５】
前記各支線接続用の端子材は、前記コネクタハウジングの一面側に形成されたコネクタ嵌合部に嵌合されたコネクタから突出した端子材から形成し、コネクタ内の電線端末に接続された前記端子材の先端を前記抵抗材に直接接触させていてもよい。
【００１６】
前記支線端末のコネクタから突出する端子材は支線端末に圧着あるいは圧接した端子材から形成しても良いし、前記コネクタに予め取り付けて突設させておき、該端子材に支線端末に圧着あるいは圧接した端子材が前記コネクタに挿入係止した状態で嵌合接続される構成としてもよい。
前記構成によれば、分岐コネクタのコネクタハウジング内に、前記バスバーのジョイント部と接触させておく別体の支線接続用端子材を設ける必要がなくなり、分岐コネクタの構成をより簡単なものとすることができる。
【００１７】
前記抵抗材となる加圧導電ゴムシートは、前記支線接続用の端子材の接触圧を変化させることにより、あるいは／および前記加圧導電ゴムシートの厚みを変化させることにより、該抵抗材の抵抗値を容易に調節することができる。
このように、加圧導電ゴムシートは加圧力に応じて抵抗値が変化する特性を備えているため、例えば、加圧導電ゴムシートをバスバーに貼り付け、該バスバーをコネクタカバーの内面に固定している場合、コネクタハウジングに対するコネクタカバーの係止固定時の圧力を変えることによって、支線接続用の端子材と加圧導電ゴムシートとの接触圧を調節できる。さらに、支線接続用の端子材のジョイント部側への突出量を変えることによっても接触圧を変化させて、所望の抵抗値を得ることができる。
さらに、加圧導電ゴムシートの厚みを変化させると、コネクタハウジングとカバーの係止固定の圧力が一定の場合には、支線接続用の端子材と加圧導電ゴムシートとの接触圧が変化するため、所望の抵抗値を得ることができる。
【発明の効果】
【００１８】
前述したように、本発明の分岐コネクタによれば、幹線と接続したバスバーのジョイント部と支線接続用の端子材との間に、加圧導電ゴムシートまたは異方性導電シートからなる抵抗材を介在させているため、抵抗やコンデンサ等の電子部品をバスバーのジョイント部と各支線接続用の端子材との間に夫々に取り付ける必要はなく、分岐コネクタの部品点数の削減、組立工数の削減を図り生産性を向上させることができる。
また、通信回路の幹線から支線の接続分岐位置に抵抗からなるフィルタ回路を前記加圧導電ゴムシートまたは異方性導電シートからなる抵抗材を介在させることで容易に実現でき、該フィルタ回路により分岐部で生じる信号の反射を早期に減衰させることができる。
【発明を実施するための最良の形態】
【００１９】
以下、本発明の実施形態を図面を参照して説明する。
図１乃至図６は本発明の第１実施形態を示し、分岐コネクタ１０はＣＡＮ通信（差動伝送方式）を行う車載ＬＡＮ１００において、幹線１０１から複数本の支線１０２が分岐する分岐部１０３を形成するものである。
【００２０】
分岐コネクタ１０は、図２に示すように、コネクタハウジング１１の支持枠部１１ｂの一側にコネクタ嵌合部１６を備えると共に、その背面側の他側に、幹線接続用のバスバー３０の端子部３０ｂおよび支線接続用の端子材２０を収容する分岐回路材の収容部１２を備えている。
【００２１】
さらに、前記収容部１２の背面側開口１５を閉鎖するコネクタカバー４０を備えている。該コネクタカバー４０の内面にバスバー３０を固着している。
バスバー３０（３０Ａ、３０Ｂ）は、図５（Ａ）に示すように、長尺帯状のジョイント部３０ａと、該ジョイント部３０ａの長さ方向の端部から幹線接続用の端子部３０ｂを突出した形状としている。該バスバー３０は導電性金属板を打ち抜き加工後に、幹線接続用の端子部３０ｂを折り曲げて形成したものである。
前記バスバー３０のジョイント部３０ａをコネクタカバー４０の内面に沿って取り付け、その一端から幹線接続用の端子部３０ｂを突出させている。
【００２２】
前記ジョイント部３０ａの露出した内面全面に抵抗材となる１枚の加圧導電ゴムシート４１を配置している。該加圧導電ゴムシート４１には前記支線接続用の端子材２０の先端を接触させ、端子材２０とバスバー３０のジョイント部３０ａの間に加圧導電ゴムシート４１を介設している。
該端子材２０の先端接触部とジョイント部３０ａに挟まれた部分に加えられる加圧導電ゴムシート４１への圧力は、該加圧導電ゴムシート４１をバスバー３０を介して取り付けているコネクタカバー４０をコネクタハウジング１１へ組みつける際の係止圧力と端子材２０の加圧導電ゴムシート４１側への突出量で調節している。このように端子材２０の接触部における加圧導電ゴムシート４１への圧力を調節することにより、加圧導電ゴムシート４１に所要の抵抗値を有する導通を発生させ、抵抗材として機能させ、信号の反射を抑制するフィルタ回路を形成している。
【００２３】
コネクタハウジング１１の支持枠部１１ｂに設けた前記収容部１２は左右方向Ｘに長い矩形状の空洞部で、図２、図３に示すように、コネクタハウジング１１の収容部１２と前記他側のコネクタ嵌合部１６との間には仕切壁１３が介在し、該仕切壁１３のコネクタ嵌合部１６と収容部１２とに連通する端子貫通穴１３ａを上下方向Ｙに２段、左右方向Ｘに４列設けている。
左右方向Ｘの中央２列の該端子貫通穴１３ａには、平角棒状の支線接続用の端子材２０を圧入し、コネクタハウジング１１の背面側の他側の端部より端子材２０の端部が突出するように固定している。なお、端子材２０は支持枠部１１ｂとモールド成形してもよい。
また、図３に示すように、左右方向Ｘの両端の端子貫通穴１３ａには、コネクタカバー４０と一体成形した前記バスバー３０Ａ、３０Ｂの幹線接続用の端子部３０ｂが貫通している。
さらに、コネクタハウジング１１の左右方向Ｘの側面には、コネクタカバー４０と係止するための弾性状の係止突起１１ａを設けている。
【００２４】
コネクタカバー４０は図５（Ａ）（Ｂ）に示すように、閉鎖板部４０ｂの内面の上下左右の端部から側壁４０ｃ、４０ｄを突設していると共に、左右方向Ｘの両側壁４０ｄの突設方向の表面には係止部４０ｅを突設している。係止部４０ｅは矩形状の突設部に係止穴４０ｆを設けたものであり、コネクタハウジング１１に設けた係止突起１１ａを係止してコネクタハウジング１１とコネクタカバー４０を固定している。
前記コネクタカバー４０をコネクタハウジング１１に取り付ける際には、仕切壁１３とカバー４０との間に空間を設けて該空間を収容部１２としている。
【００２５】
図５（Ａ）に示すように、前記コネクタカバー４０の閉鎖板部４０ｂの内面側には、上下方向Ｙに２本のバスバー３０Ａ、３０Ｂを、各バスバー３０の長さ方向が前記コネクタカバー４０の左右方向Ｘとなるよう配置し、かつ、ジョイント部３０ａが露出するようにインサート成形している。バスバー３０の先端に設けた幹線接続用の端子部３０ｂは、閉鎖板部４０ｂの内面と垂直方向に突設させている。
【００２６】
加圧導電ゴムシート４１はコネクタカバー４０の閉鎖板部４０ｂの内面と同形状としている。加圧導電ゴムシート４１はバスバー３０の両端の幹線接続用の端子部３０ｂに対応する位置に、左右両端に上下２段に端子穴４１ａを貫通させており、端子部３０ｂを該端子穴４１ａに貫通して、図５（Ｂ）のようにコネクタカバー４０に取り付けている。
コネクタカバー４０に取り付けた加圧導電ゴムシート４１は、閉鎖板部４０ｂの内側表面のバスバー３０のジョイント部３０ａ全面と接触していると共に、コネクタカバー４０とコネクタハウジング１１を係止固定した際に、接触点４１ｂで支線接続用の端子材２０の先端に所定の接触圧で接触する。
【００２７】
前記分岐コネクタ１０のコネクタ嵌合部１６には、図２および図４に示すコネクタ５０を複数個（本実施形態では４個）並列状態で嵌合する構成としており、これらの各コネクタ５０は差動伝送線路を構成するツイストペア電線６０と接続している。
各コネクタ５０は、上下各１個の端子収容室５２（５２Ａ、５２Ｂ）をコネクタハウジング１１に設け、上段の端子収容室５２Ａにはツイストペア電線６０の第１通信線６１（ＣＡＮ＿Ｈ）の端末に接続したメス端子６３Ａが挿入係止されている一方、下段の端子収容室５２Ｂにはツイストペア電線６０の第２通信線６２（ＣＡＮ＿Ｌ）の端末に接続したメス端子６３Ｂが挿入係止されている。
前記コネクタハウジング１１の上面には弾性係止片５３を設け、該弾性係止片５３の外面に突設した係止突起５４を分岐コネクタ１０のコネクタ嵌合部１６の上面内側に設けた係止突起１６ａに係止してロック結合している。
【００２８】
次に、分岐コネクタ１０の組み立て方法について説明する。
まず、コネクタハウジング１１の仕切壁１３に設けた中央の左右方向Ｘの２列の端子貫通穴１３ｂに支線接続用の端子材２０を圧入固定する。
次に、バスバー３０と加圧導電ゴムシート４１を取り付けたコネクタカバー４０をコネクタハウジング１１の背面側開口１５に被せ、コネクタハウジング１１の係止突起１１ａにカバーの係止部４０eを係止固定する。すると、端子材２０は所定の接触圧で加圧導電ゴムシート４１と接触点４１ｂで接触するので、加圧導電ゴムシート４１が抵抗として機能して、所定の抵抗値で端子材２０とバスバー３０のジョイント部３０ａが導通する。
一方、幹線接続用のバスバー３０の端子部３０ｂは加圧導電ゴムシート４１の端子穴４１ａに貫通しているだけであり、加圧導電ゴムシート４１に圧力を加えていないため、幹線接続用のバスバー３０の端子部３０ｂには抵抗材は介在しない。
【００２９】
さらに、コネクタ嵌合部１６に、ツイストペア電線６０の端末に接続された複数のコネクタ５０を嵌合係止する。幹線のツイストペア線の第１通信線６１と第２通信線６２の端末に接続したメス端子６３Ａ、６３Ｂは、上下のオス形状の端子部３０ｂと嵌合接続し、支線では上下の端子材２０と嵌合接続している。
【００３０】
次に、加圧導電ゴムシート４１の抵抗特性について説明する。
加圧導電ゴムシート４１は絶縁性のゴム材料の中に、炭素、金属などの導電性粒子を均等に分散させた状態で成形したものであり、図６（Ａ）に示すように、加圧導電ゴムシート４１を加圧しない場合には、導電性粒子が互いに接触せず抵抗値は非常に高い値を示し、実質絶縁体となる。
一方、加圧導電ゴムシート４１を加圧すると、導電性粒子が接触し、ゴム材料内に導電経路が生じ、圧力を加えるに従って導電経路が増加し抵抗値が低くなる。
【００３１】
コネクタハウジング１１にコネクタカバー４０を取り付けると、図６（Ｂ）に示すように、端子材２０は加圧導電ゴムシート４１にｙ方向に圧力を加える。加圧導電ゴムシート４１にはｘ方向には圧力が加わらないため、図６（Ａ）のＡ点の状態となり、抵抗値は高い状態を保ちほぼ絶縁状態である。一方、ｙ方向には端子材２０の接触による圧力が加わるため、図６（Ｂ）のＢ点の状態となり、抵抗値が小さくなる。
【００３２】
すなわち、支線接続用の端子材２０は、加圧導電ゴムシート４１の下面と接触しているバスバー３０のジョイント部３０ａとｙ方向に所定の抵抗値の抵抗材を介して電気的に接続する。一方、ｘ方向には絶縁されているため、隣り合う端子材２０同士が電気的に接続することはない。
コネクタハウジング１１とコネクタカバー４０の係止部４０ｅもしくは係止突起１１ａの位置を変化させることで、支線接続用の端子材２０の加圧導電ゴムシート４１への接触圧を変化させて、抵抗値を所望の値となるようにする。また、加圧導電ゴムシート４１の厚みを変化させることで、端子材２０の加圧導電ゴムシート４１への接触圧を変化させて、抵抗値を所望の値となるようにする。
本発明に用いる加圧導電ゴムシート４１は、前述したように所望の抵抗値を得るために加圧導電ゴムシート４１に加える接触圧を調整する必要があるため、ＯＮ−ＯＦＦ型ではなく抵抗値変化型を用いる。
【００３３】
また、加圧導電ゴムシート４１に代えて、所定の抵抗値を備えた異方性導電シートを用いてもよい。
前記異方性導電シートは、導電性金属繊維を厚さ方向に配向させて集束させたシートからなり、前記導電性金属繊維の両端が導体と接触すると厚さ方向にのみ導電するものである。
異方性導電シートの両側に支線接続用の端子材２０およびバスバー３０のジョイント部３０ａを接触させることで、異方性導電シートは抵抗材として機能し、ジョイント部３０ａからなる幹線側と端子材２０からなる支線側の各分岐接続位置に発生する信号の反射を減衰させるフィルタ回路として形成することができる。
【００３４】
さらに、前記加圧導電ゴムシート４１内にはフェライト粒子を分散させてもよい。フェライト粒子はインダクタンス成分を持つため、加圧導電ゴムシート４１を抵抗とインダクタンスからなるフィルタ回路として用いることができる。
【００３５】
前記構成によれば、バスバー３０のジョイント部３０ａと支線接続用の各端子材２０との間に、加圧導電ゴムシート４１を抵抗として介在させて電気接続することができる。
前記加圧導電ゴムシート４１は、ジョイント部３０ａからなる幹線側と端子材２０からなる支線側の各分岐接続位置に発生する信号の反射を減衰させるフィルタ回路として形成することができる。
特に、カバー４０にバスバー３０のジョイント部３０ａを一体形成し、該ジョイント部３０ａに接触するように加圧導電ゴムシート４１を取り付けることで、ジョイント部３０ａと加圧導電ゴムシート４１を一体とすることができ、コネクタハウジング１１にカバー４０を取り付けるだけでジョイント部３０ａと端子材２０との間に抵抗を介在させることができ、分岐コネクタ１０の組立作業性を向上させることができる。
【００３６】
なお、本実施形態では加圧導電ゴムシート４１はコネクタカバー４０の閉鎖板部４０ｂの内面全面に設けているが、バスバー３０のジョイント部３０ａの上面にだけに設けてもよい。また、支線接続用の端子材２０と加圧導電ゴムシート４１との接触点４１ｂの周辺にのみ加圧導電ゴムシート４１を設けてもよい。これらの場合、支線接続用の端子材２０の接触圧で加圧導電ゴムシート４１を保持する。閉鎖板部４０ｂの内面全面に加圧導電ゴムシート４１を設ける場合に比べて、加圧導電ゴムシート４１の使用量が少なくなるため、コストを低減することができる。
【００３７】
図７及び図８は本発明の第２実施形態を示す。
第１実施形態とはバスバー３０及びコネクタカバー４０の構成を異ならせている。
図８に示すように、バスバー３０Ａ、３０Ｂはジョイント部３０ａに長さ方向に間隔を空けてＵ字状に屈曲させた屈曲部３０ｃの先端からオス端子部３０ｄを複数本（本実施形態では４本）突設している。
収容部１２の上部に収容するバスバー３０Ａでは、屈曲部３０ｃをジョイント部３０ａの上方向の端部から逆Ｕ字状に設け、収容部１２の下部に収容するバスバー３０Ｂでは屈曲部３０ｃをジョイント部３０ａの下方向の端部からＵ字状に設け、ジョイント部３０ａの平面部と垂直方向にオス端子部３０ｄを突設している。
【００３８】
バスバー３０Ａとバスバー３０Ｂを屈曲部３０ｃが上下に対称となるように配置し、バスバー３０Ａ、３０Ｂの該屈曲部３０ｃの中空３０ｅで矩形状の加圧導電ゴムシート４１を狭持している。
屈曲部３０ｃの先端であってオス端子部３０ｄが突設している屈曲点Ｐ１とバスバー３０のジョイント部３０ａの間の距離は加圧導電ゴムシート４１の厚みよりも若干小さくしており、屈曲点Ｐ１とジョイント部３０ａで加圧導電ゴムシート４１を支持していると共に、屈曲点Ｐ１と加圧導電ゴムシート４１の接触点４１ｂでは、加圧導電ゴムシート４１に接触圧が加わる状態としている。
【００３９】
上記のように加圧導電ゴムシート４１を狭持したバスバー３０をコネクタハウジング１１の仕切壁１３に設けた端子貫通穴１３ａに圧入している。バスバー３０のジョイント部３０ａから突設する左右両端の２本のオス端子部３０ｄ−１、３０ｄ−４は幹線接続用の端子部３０ｂとし、仕切壁１３の左右方向Ｘ両端の端子貫通穴１３ａに圧入してコネクタ嵌合部１６へ突設させている。
【００４０】
バスバー３０のジョイント部３０ａから突設する中央の２本のオス端子部３０ｄ−２、３０ｄ−３は、端子貫通穴１３ａに貫通させてコネクタ嵌合部１６へ突設させて固定した後、図８（ｂ）に示すように屈曲部３０ｃのジョイント部３０ａに近接した屈曲点Ｐ２で切断治具によって切断している。この切断してジョイント部３０ａから分離したオス端子部３０ｄ−２、３０ｄ−３を支線接続用の前記端子材２０としている。
このようにして、バスバー３０のジョイント部３０ａと分離した支線接続用端子材２０の屈曲点Ｐ１が、加圧導電ゴムシート４１を介してジョイント部３０ａと前後方向Ｚに対向する状態としている。
なお、左右両端の２本のオス端子部３０ｄ−１、３０ｄ−４は切断してないので、中央の２本のオス端子部３０ｄ−２、３０ｄ−３を切断しても、加圧導電ゴムシート４１は左右両端のオス端子部３０ｄ−１、３０ｄ−４と接触した屈曲部３０ｃで保持される。
【００４１】
コネクタカバー４０は、閉鎖板部４０ｂの内面の上下左右の端部から側壁４０ｃ、４０ｄを突設すると共に係止部４０ｅを設けた形状としており、バスバー３０や加圧導電ゴムシート４１は組み付けていない。
仕切壁１３とコネクタカバー４０の間に設けた収容部１２には、バスバー３０のジョイント部３０ａと屈曲部３０ｃ、端子材２０、幹線接続用の端子部３０ｂ、加圧導電ゴムシート４１を収容している。
【００４２】
次に、分岐コネクタ１０の組み立て方法について説明する。
まず、端子材２０をオス端子部３０ｄとして一体形成したバスバー３０Ａ、バスバー３０Ｂを屈曲部３０ｃが上下に対称となるように配置し、該屈曲部３０ｃの屈曲点Ｐ１とジョイント部３０ａの間から、加圧導電ゴムシート４１の弾性により加圧導電ゴムシート４１の端部を屈曲部３０ｃの中空３０ｅに押し入れ、支持固定する。
【００４３】
次に、前記バスバー３０Ａを収容部１２の上部、バスバー３０Ｂを収容部１２の下部に、背面側開口１５より挿入して組み付ける。該バスバー３０のオス端子部３０ｄは夫々仕切壁１３に設けた端子貫通穴１３ａを貫通してコネクタ嵌合部１６に突出すると共に、Ｕ字状に屈曲させた屈曲部３０ｃは仕切壁１３に当接して収容部１２内に収容される。
【００４４】
次に、バスバー３０の屈曲部３０ｃの前記屈曲点Ｐ１を切断治具で切断し、バスバー３０のオス端子部３０ｄを端子材２０として分離する。このとき、幹線側と接続する左右方向Ｘの両端のオス端子部３０ｄ−１、３０ｄ−４は切断せず、ジョイント部３０ａと接続したままとしている。
なお、幹線に接続するバスバー３０の屈曲部３０ｃとオス端子部３０ｄ−１、３０ｄ−４との間にも加圧導電ゴムシート４１が介在するが、屈曲点Ｐ１を切断していないため、加圧導電ゴムシート４１を介さずに電流が流れる。
【００４５】
次いで、収容部１２の背面側開口１５にコネクタカバー４０を被せて係止固定する。バスバー３０のジョイント部３０ａがコネクタカバー４０の閉鎖板部４０ｂの内面と当接して、切断された支線側の端子材２０の方向にジョイント部３０ａを押しつけることで、端子材２０と加圧導電ゴムシート４１の間の接触圧を保持している。
【００４６】
さらに、コネクタ嵌合部１６に、ツイストペア電線６０の端末に接続された複数のコネクタ５０を嵌合係止する。幹線のツイストペア線の第１通信線６１と第２通信線６２の端末に接続したメス端子６３は、上下のオス形状の端子部３０ｂと嵌合接続し、支線では上下の端子材２０と嵌合接続している。
【００４７】
前記構成によれば、支線接続用の端子材２０をバスバー３０と一体として設けているため、支持枠部１１ｂに複数の支線接続用の端子材２０を一度に組み付けることができ、複数の支線接続用の端子材２０を個別に支持枠部１１ｂに組み付ける必要がなくなり、組み付けを簡単に行うことができる。
【００４８】
図９は本発明の第３実施形態を示す。
第１実施形態とは分岐コネクタ１０の支線側のコネクタ嵌合部１６に挿入するコネクタ５０の構成が異なっている。
支線側と接続する各コネクタ５０の上段の端子収容室５２には、ツイストペア電線６０の第１通信線６１（ＣＡＮ＿Ｈ）の端末に接続したオス端子部６５Ａが挿入係止されている一方、下段の端子収容室５２にはツイストペア電線６０の第２通信線６２（ＣＡＮ＿Ｌ）の端末に接続したオス端子部６５Ｂが挿入係止されている。該オス端子部６５Ａ、６５Ｂは長尺に突出させて支線接続用の端子材２０と兼用している。
前記オス端子部６５Ａ、６５Ｂの先端部６５ａを分岐コネクタ１０のコネクタ嵌合部１６から突出させている。
【００４９】
コネクタ５０を分岐コネクタ１０のコネクタ嵌合部１６に嵌合すると、コネクタ５０のオス端子部６５Ａ、６５Ｂの先端部６５ａは仕切壁１３に設けた端子貫通穴１３ａを貫通して収容部１２に突出する。該オス端子部の先端部６５ａは、カバー４０の閉鎖板部４０ｂの内面に設けた加圧導電ゴムシート４１の表面と接触点４１ｂで所定の接触圧で接触する。
これにより、加圧導電ゴムシート４１を介してコネクタ５０のオス端子部６５Ａ、６５Ｂとバスバー３０のジョイント部３０ａを電気的に接続している。
【００５０】
該コネクタ５０の上面に設けた弾性係止片５３もしくはコネクタ嵌合部１６の上面内側に設けた係止突起１１ａの位置を変化させることで、コネクタ５０のオス端子部６５Ａ、６５Ｂと加圧導電ゴムシート４１の接触点４１ｂでの接触圧を変化させ、加圧導電ゴムシート４１の抵抗値を所望の値となるように調節している。
【００５１】
幹線側のコネクタ嵌合部１６に挿入するコネクタ５０の構成は第１実施形態と同様であり、ツイストペア電線６０の端末にはメス端子６３が挿入係止されている。また、幹線側のコネクタ嵌合部１６にはバスバー３０の長さ方向の端部から突設した幹線接続用の端子部３０ｂが端子貫通穴１３ａを貫通して突出しており、コネクタ５０のメス端子６３と幹線接続用の端子部３０ｂが接続して、確実にツイストペア電線６０と端子部３０ｂが接続する構成としている。
【００５２】
なお、幹線側のコネクタ嵌合部１６に挿入するコネクタ５０の構成を、支線側のコネクタ嵌合部１６に挿入するコネクタ５０の構成と同様としてもよい。この場合、幹線側のコネクタ５０から突出するオス端子部６５Ａ、６５Ｂは幹線接続用の端子部３０ｂとなり、端子部３０ｂとバスバー３０のジョイント部３０ａとの間には加圧導電ゴムシート４１を介在させず、直接接触させている。
【００５３】
前記構成によれば、加圧導電ゴムシート４１と接触させる支線接続用の端子材２０をコネクタ５０に挿入する支線端末接続用の端子として設けているので、コネクタ５０をコネクタ嵌合部１６に挿入するだけで、加圧導電ゴムシート４１を介してバスバー３０のジョイント部３０ａと導通させることができる。よって、バスバー３０のジョイント部３０ａと加圧導電ゴムシート４１を介して接続する端子材を個別に抵抗材を設ける必要がなく、部品点数の削減を図ることが出来ると共に、組み付けを簡単に行うことができる。
なお、他の構成および作用効果は第１実施形態と同様のため、同一の符号を付して説明を省略する。
【図面の簡単な説明】
【００５４】
【図１】本発明の分岐コネクタにより形成した分岐部を示す概略図である。
【図２】第１実施形態の分岐コネクタに相手側コネクタを嵌合した状態でのＡ−Ａ断面図である。
【図３】第１実施形態の分岐コネクタに相手側コネクタを嵌合した状態でのＢ−Ｂ断面図である。
【図４】第１実施形態の分岐コネクタの斜視図である。
【図５】（Ａ）カバーと加圧導電ゴムシートの斜視図であり、（Ｂ）加圧導電ゴムシートをカバーに組み付けた斜視図である。
【図６】加圧導電ゴムシートの特性説明図である。
【図７】第２実施形態を示す図である。
【図８】第２実施形態のバスバーと加圧導電ゴムシートの斜視図である。
【図９】第３実施形態を示す図である。
【図１０】従来例を示す図である。
【符号の説明】
【００５５】
１０  分岐コネクタ
１１  コネクタハウジング
１１ａ  係止突起
１２  収容部
１６  コネクタ嵌合部
２０  支線接続用の端子材
３０  バスバー
３０ａ  バスバーのジョイント部
３０ｂ  バスバーの端子部
３０ｃ  屈曲部
３０ｄ  オス端子部
３０ｅ  中空
４０  コネクタカバー
４０ｅ  係止部
４１  加圧導電ゴムシート
５０  コネクタ
６５  オス端子部
６５ａ  先端部
Ｐ１、Ｐ２  屈曲点
【図１】
2008192463.tif 000003
【図２】
2008192463.tif 000004
【図３】
2008192463.tif 000005
【図４】
2008192463.tif 000006
【図５】
2008192463.tif 000007
【図６】
2008192463.tif 000008
【図７】
2008192463.tif 000009
【図８】
2008192463.tif 000010
【図９】
2008192463.tif 000011
【図１０】
2008192463.tif 000012